(57)【特許請求の範囲】
【請求項１】
遊技機の遊技動作を制御する制御基板を有し、前記制御基板は第１の基板と第２の基板から構成され、
前記第２の基板が前記第１の基板に対して立設されるように、前記第１の基板上に設けられた第１の接続部と前記第２の基板の一方の端部に設けられた第２の接続部とが接続された遊技機であって、
前記第１の接続部のグランド端子に接続された第１の導通部が前記第１の基板に露出するように設けられ、
前記第２の接続部のグランド端子に接続された第２の導通部が前記第２の基板に露出するように設けられ、
前記第１の導通部と前記第２の導通部とを導通させる導通部材が設けられ、
前記導通部材は、前記第２の導通部に面接続されると共に、前記第２の基板を挟持する挟持部と、その挟持部と電気的に導通し、前記第１の導通部に面接続される第３の接続部とを備え、
前記挟持部は、前記第２の基板の一方の面に対して付勢する一方の挟持片と前記第２の基板の他方の面に対して付勢する他方の挟持片とにより前記第２の基板を挟持するように構成されたことを特徴とする遊技機。
【請求項２】
前記導通部材は、前記第２の基板の両側端部をそれぞれの挟持部で挟持するように対をなして複数設けられたことを特徴とする請求項１に記載の遊技機。
【発明の詳細な説明】
【技術分野】
【０００１】
本発明は、パチンコ機等の遊技機に関するものであり、特に、遊技動作を制御する遊技制御基板の構成に関するものである。
【背景技術】
【０００２】
従来より、遊技機の一種であるパチンコ機においては、遊技動作を制御する遊技制御基板（以下、制御基板とする）は、１枚の制御基板に遊技動作に関連する一切の制御機能を持たせているため、その制御基板は各種類の遊技機に固有のものとなり、遊技機の種類が異なれば、それに応じて制御基板も個々に製作する必要が生じ、製造コストがかかっていた。
【０００３】
この問題を解決するべく、遊技機の制御基板を、異なる種類の遊技動作に共通の共通基板と、その遊技動作に固有の固有制御基板とから構成し、これらを支持する支持基板に対して前記共有基板と前記固有制御基板とを起立状に設置し、異なる遊技機の機種ごとに前記固有制御基板のみを変更することが可能な構成の遊技機として、特許文献１に示す技術が提案されている。
【０００４】
【特許文献１】特開２００１−６２１２０号公報
【発明の開示】
【発明が解決しようとする課題】
【０００５】
上記特許文献１では、基板支持枠９７に多数のＲＯＭを搭載した制御基板３６〜３９を挿入し、カードエッジコネクタ９６の端子部１００と制御基板３６〜３９の接触片９８とを電気的に接続させ、支持基板９５の回路パターンを介して制御基板３６〜３９が相互に接続される構成となっている。
【０００６】
また、基板支持枠９７の上端側には制御基板３６〜３９を係脱自在に係止する係止具９９が設けられており、この係止具９９によって制御基板３６〜３９を係止させている。
【０００７】
しかしながら、支持基板９５に起立状に設けられた固有制御基板及び共通制御基板（制御基板３６〜３９）は、支持基板９５との接続部（カードエッジコネクタ９６）を介して導通されており、前記接続部における接続部分の面積（端子部１００が接触片９８に触れる面積）が狭いため、制御基板３６〜３９が強力なノイズを受けた場合、ノイズが支持基板９５へ逃げることができず、制御基板３６〜３９に実装された電子部品に悪影響を及ぼすこととなっていた。
【０００８】
本発明は、以上の問題点に鑑みてなされたものであって、その目的は、相互に立設して接続される複数の基板によって構成される制御基板がノイズによって動作不良を引き起こすことを防止するために、確実なノイズ対策構造を採用した遊技機を提供することにある。
【課題を解決するための手段】
【０００９】
上記課題を解決するための、請求項１記載の発明に係る遊技機は、遊技機の遊技動作を制御する制御基板を有し、前記制御基板は第１の基板と第２の基板から構成され、前記第２の基板が前記第１の基板に対して立設されるように、前記第１の基板上に設けられた第１の接続部と前記第２の基板の一方の端部に設けられた第２の接続部とが接続された遊技機であって、前記第１の接続部のグランド端子に接続された第１の導通部が前記第１の基板に露出するように設けられ、前記第２の接続部のグランド端子に接続された第２の導通部が前記第２の基板に露出するように設けられ、前記第１の導通部と前記第２の導通部とを導通させる導通部材が設けられ、前記導通部材は、前記第２の導通部に面接続されると共に、前記第２の基板を挟持する挟持部と、その挟持部と電気的に導通し、前記第１の導通部に面接続される第３の接続部とを備え、前記挟持部は、前記第２の基板の一方の面に対して付勢する一方の挟持片と前記第２の基板の他方の面に対して付勢する他方の挟持片とにより前記第２の基板を挟持するように構成されたことを特徴とする。
【００１０】
かかる構成とすることにより、第１の基板及び第２の基板は、第１の接続部と第２の接続部とによる信号線の接続以外にも、前記導電性部材を介して前記第１の導通部と第２の導通部とを電気的に導通させているため、第１の接続部のグランド端子及び第２の接続部のグランド端子の面積を実質的に拡大させた。よって、第２の基板がノイズの影響を受けた場合でも、前記導電性部材を介してノイズが前記第１の基板に逃げやすくなるため、実装された電子部品に動作不良などの悪影響を及ぼすことがない。更に、かかる構成とすることにより、前記挟持部に前記第２の基板を挟持させるだけで前記一方の挟持片と前記他方の挟持片とによる弾性力によって前記挟持部を前記第２の導通部に確実に面接触させることができる。
【００１３】
上記課題を解決するための、請求項２記載の発明に係る遊技機は、請求項１に記載の遊技機において、前記導通部材は、前記第２の基板の両側端部をそれぞれの挟持部で挟持するように対をなして複数設けられたことを特徴とする。
【００１４】
このように、従来よりも実質的に面積が拡大されたグランド端子の一部分として構成された前記導通部材が、第２の基板の両端にノイズの逃げ道として設けられたため、ノイズが第２の基板に搭載された電子部品に影響を及ぼすことをより確実に防止することができる。具体的には、前記導通部材を第２の基板の右側端のみに設けた場合には、第２の基板の左側にノイズが乗ったときに、ノイズは第２の基板の右側端のみに設けられた前記導通部材に達するまでに、第２の基板の中央付近に配設された電子部品がノイズの通り道になり、当該電子部品に悪影響を及ぼす虞がある。従って、第２の基板の両側端部に前記導通部材を設けることにより、第２の基板の左側に乗ったノイズは、第２の基板の中央付近に配設された電子部品に達することなく、第２の基板の左側端に設けられた前記導通部材から逃げることとなるので、第２の基板の両側端部に前記導電部材を設けることにより、より確実に前記電子部品への悪影響を防止できる。
【発明の効果】
【００１９】
以上説明したように、本発明によれば、第１の基板の第１の接続部に対して、第２の基板の第２の接続部が立設されるように設置されて構成される制御基板において、前記第１の接続部及び前記第２の接続部のそれぞれのグランド端子に電気的に接続された第１の導通部及び第２の導通部を形成し、それらを導通させる導通部材を設けたので、前記第１の接続部及び前記第２の接続部のグランド端子の面積を実質的に拡大させ、ノイズを逃がしやすくできるので、制御基板を構成する各基板に実装された電子部品がノイズによって動作不良を引き起こすことを防止することができる。
【発明を実施するための最良の形態】
【００２０】
次に、本発明に係る遊技機につき、好適な実施形態を挙げて、図面を参照しながら、以下詳細に説明する。なお、本実施形態では、遊技機として、パチンコ球を遊技媒体として使用する一般的なパチンコ機を例にして説明する。
【００２１】
図１は、本実施形態における遊技機の構成を示す正面図である。図１に示すように、遊技機１０において機体の外郭をなす外枠１１の開口前面側には、各種の遊技用構成部材をセットする縦長方形の中枠１２が開閉及び着脱自在に組み付けられている。また、中枠１２の前面側には、機内部に配置された遊技盤１３を透視保護するためのガラス枠を備えた前枠１４と上球皿１５が共に横開き状態で開閉可能に組付け整合されている。さらに、前記中枠１２の下部には下球皿１６、打球発射装置１７等が装着されている。
【００２２】
また、遊技盤１３の盤面には、略円形状に湾曲形成したレールにより囲まれた遊技領域の前面において、その遊技領域に打ち出された遊技球（図示せず）を案内する多数の遊技釘が配設されており、前記遊技領域の縦央やや下部には、遊技球をスイッチ（図示せず）で検出し得る始動入賞装置２２と、始動入賞装置２２の直下方に配置された大型電動式の可変入賞装置２３等が備えられている。
【００２３】
図柄表示装置２１は、図柄を変動させて図柄組合せゲームを表示する液晶画面、具体的には、複数列（例えば３列）の図柄を各列毎に表示する液晶画面を有している。また、可変入賞装置２３の下方には、アウト口２４が設けられており、遊技領域を流下しアウト球として、遊技機の裏側へ排出される遊技球が通過するようになっている。
【００２４】
なお、本実施形態における図柄組合せゲームでは、図柄表示装置２１の表示領域（前面側）に表示される、例えば３列の図柄が、同一図柄となる図柄組合せ態様で確定停止した状態が大当り状態とされる。なお、前記確定停止とは、前記表示領域において、各図柄が完全に停止した状態を示す。そしてこのとき、多数の遊技球を獲得できるチャンスが遊技者に付与される。また、前記表示領域に表示される図柄が３列で表示される場合、そのうち特定の２列の図柄が同一図柄となって表示された状態がリーチ状態とされる。また、例えば、全て異なる図柄となったりして、各図柄が同一図柄とならずに確定停止した状態がはずれ状態とされる。前記大当り状態が特別遊技状態に相当する。
【００２５】
そして、打球発射装置１７の操作により遊技盤１３の遊技領域に打ち出された遊技球を始動入賞装置２２内に配設された前記スイッチが検出するか、若しくは、始動保留球数の記憶値が１〜４である場合、図柄表示装置２１で前記図柄組合せゲームが行われるようになっている。
【００２６】
また、可変入賞装置２３は、特別入賞具に設けられた扉状の開閉板が、後側の電磁ソレノイド（図示せず）に係る設定駆動条件に基づいて、通常の閉鎖状態から開放状態に変化し得るよう構成されて、前記図柄変動ゲームの結果、特別遊技が発生すると前記大当り状態として前記開閉板が開放して多数の遊技球を得る機会が付与されるようになっている。
【００２７】
図２及び図３は、本実施形態における遊技機の裏側の構成を示す背面図である。図２及び図３に示すように、遊技機１０の裏側は、遊技機に配設される各種制御ユニットが、図示しない各種制御基板を透明樹脂製の保護ケース内にそれぞれ収容されてなり、保護ケースの外部から各種制御基板をそれぞれ視認し得るようになっている。
【００２８】
具体的には、メイン基板（図示せず）が透明樹脂製の保護ケース内に収容されてなるメイン基板ユニット３２と、図柄表示装置２１及び表示制御基板ユニット１００（図４参照）が透明樹脂製の保護ケース３１１０（図４参照）内に収容されてなる表示ユニット３１１を保護するリアパック（上）３１ａと、ランプ制御基板（図示せず）を保護し、遊技機１０の裏面側にサブ統括基板が設置されたリアパック（下）３１ｂとが、遊技機１０の裏面側に上下に列設されている。
【００２９】
なお、メイン基板ユニット３２に収容される前記メイン基板は、遊技機で行う遊技内容を特定するものであって、遊技盤１３（図１参照）等を交換して遊技機の遊技内容を変更する所謂機種変更時には交換を要する専用基板である。また、以下の説明において、上・下及び左・右とは、特に断りのない限り、図２及び図３に示すように遊技機１０の裏側から見た状態において指称するものとする。
【００３０】
図４は、本実施形態の表示ユニットの構成を示す図であり、遊技機１０の裏側から見た表示ユニット３１１の透過正面図である。図４に示すように、表示ユニット３１１は、透明樹脂製の保護ケース３１１０内に図柄表示装置２１及び表示制御基板ユニット１００並びにそれらの間の配線が収納されてなり、保護ケース３１１０は、収納対象となる図柄表示装置２１及び表示制御基板ユニット１００並びにそれらの間の配線を保護するための収納筐体として機能する。
【００３１】
ここで、本実施形態では制御対象を図柄表示装置２１の画像表示に特定して説明しているため、表示制御基板ユニット１００が本発明にいう「制御基板」に該当する。従って、本発明にいう「制御基板」は第１の基板４０と第２の基板６０から構成され、２枚の第２の基板６０は、第１の基板４０に対して立設・固定されている。また、第１の基板４０の下面（第２の基板６０が立設された面を上面とした場合）は、図柄表示装置２１の背面（図柄が表示される面を正面とした場合）に対向するように、例えば金属製のシャーシなどの導電板５０を介して設置されている。また、第１の基板４０上には、サブ統括制御基板（図２参照）に接続するためのコネクタ３１１２が設置されている。
【００３２】
なお、表示ユニット３１１の外形を形成している保護ケース３１１０の形状は、従来のように方形状ではなく、当該表示ユニット３１１の周囲で引き回される配線などを収納するスペースとして、遊技機１０の裏側に溝部３１１１（図４参照）が形成された形状となっている。
【００３３】
次に、このように設置された表示制御基板ユニット１００の構成について説明する。図５は、本実施形態における表示制御基板ユニットの設置態様を示す斜視図である。なお、以下の本実施形態における表示制御基板ユニットの説明において、上・下及び左・右とは、第１の基板４０に対して第２の基板６０が立設された方向を「上」方向、その反対方向を「下」方向とし、第１の基板４０上における第２の基板６０とコネクタ３１１２との設置位置（図４参照）において、第２の基板６０が設置された方向を「前」方向、コネクタ３１１２が設置された方向を「後」方向、前記「前」方向から見た状態において「左・右」方向と指称するものとする。
【００３４】
図５に示すように、図柄表示装置２１の背面側に表示制御基板ユニット１００を設置するための導電板５０上には、当該導電板５０を介して図柄表示装置２１の背面に下面（下方の面）が対向するように第１の基板４０が設置されている。なお、導電板５０はアース接地されていることが望ましく、ここにいう「アース接地」とは、「大地接地」を意味し、接続対象を同電位とする前記「グランド端子」における「グランド」とは異なるものとする。
【００３５】
そして、第１の基板４０の上面（上方の面）には、２枚の第２の基板６０が所定の間隔で立設されている。そして、第１の基板４０上に立設される第２の基板６０（本実施形態では２枚）を保持すると共に、第２の基板６０に乗ったノイズを第１の基板４０に逃がす導電性部材８０が第１の基板４０に設置されている。
【００３６】
導電性部材８０は、第２の基板６０の各々の一方の側端部６０ａを挟持する複数の挟持部と、各挟持部を連結し、ネジＳによって第１の基板４０と共に導電板５０に固定される第３の接続部とから構成される。すなわち、各導電部材８０は、各第２の基板６０の一方の側端部６０ａを挟持する導電部材８０と、各第２の基板６０の他方の側端部６０ａを挟持する導電部材８０が第２の基板６０の側方において対向する一対構成をなして第１の基板４０に設置されている。
【００３７】
次に、表示制御基板ユニット１００の構成について詳細に説明する。図６は、本実施形態における表示制御基板ユニットの構成を詳細に示す分解斜視図である。図６に示すように、表示制御基板ユニット１００は、導電板５０と、第１の基板４０と、第２の基板６０と、導電性部材８０とから構成されるが、第１の基板４０の上面（第２の基板６０が立設される上方の面）には、第２の基板６０との電気的導通（信号の授受）を実現するためのコネクタとして第１の接続部４１が、立設される第２の基板６０の数に応じて設置されている。
【００３８】
一方、第２の基板６０の下端部には、第１の基板４０との電気的導通（信号の授受）を実現するためのコネクタとして第２の接続部６１が設置されている。ここで、第１の接続部４１及び第２の接続部６１の少なくとも何れかの形状は、第１の基板４０に接続された第２の基板６０が、第１の基板４０の上面上における面方向の動き（図中、前後左右の動き）を制限する形状である。すなわち、第１の接続部４１及び第２の接続部６１の何れかの形状は、電気的導通部分（例えば端子）のみの嵌合によってそれらが接続される態様ではなく、それぞれの電気的導通部分の周囲に、第１の基板４０と第２の基板６０とを固着させるための嵌合構造が採用されている。
【００３９】
図７（ａ）は、本実施形態における第１の接続部及び第２の接続部の構造を示した斜視図であり、図７（ｂ）は、第１の接続部の構造を上面から見た図である。例えば、図７（ａ）に示すように、第１の接続部４１は、第１の基板４０の上面に形成された本体部４１１と、その本体部４１１の左右両側に設置された２つの制限部４１２ａ，４１２ｂとから構成されている。そして、本体部４１１の外形は、上面視で台形形状となっており、本体部４１１の上方に開口するように形成された凹部４１１１内には、端子４１１２が設けられている。
【００４０】
一方、第２の基板６０の下端部６０ｂに設けられた第２の接続部６１は、第２の基板６０上に搭載されたＲＯＭ（図示せず）から引き出され、下端部６０ｂ方向に突出した端子６１１とその周囲を第１の接続部４１に嵌合するように形成された枠部６１２とから構成される。枠部６１２の内側の形状は、本体部４１１の外形と嵌合するように同様の台形形状に形成されている。
【００４１】
また、本体部４１１の左側には、コの字形状の制限部４１２ａが設置されており、その設置態様は、制限部４１２ａのコの字形状が本体部４１１の左側を囲むようになっている。そして、図７（ｂ）に示すように、本体部４１１と制限部４１２ａとにより形成される空間（ハッチングで表示）の形状と枠部６１２の左端部の外形形状とが合うように設計されている。
【００４２】
このように制限部４１２ａが設置されたことにより、第２の基板６０の左方向及び前後方向への動きをより確実に制限することができる。特に、制限部４１２ａを設けた位置は、表示ユニット３１１（図４参照）を遊技機に設置した際に鉛直方向側となる位置であるため、第２の基板６０の自重によって動いてしまう場合の制限になる。
【００４３】
さらに、図７（ａ）に示すように、本体部４１１の右側にも、コの字形状の制限部４１２ｂを、制限部４１２ｂのコの字形状が本体部４１１の右側を囲むように設置すると好適である。そして、制限部４１２ａと同様に、本体部４１１と制限部４１２ｂとにより形成される空間の形状と枠部６１２の右端部の外形形状とが合うように設計されている。
【００４４】
このように、制限部４１２ａに加えて制限部４１２ｂも設置することにより、表示ユニット３１１（図４参照）を遊技機から取り外して、第１の基板４０を水平とした状態で扱う場合であっても、左右方向及び前後方向の何れの方向にも第２の基板６０の動きをより確実に制限することができる。
【００４５】
すなわち、本実施形態で説明した第１の接続部４１を構成する本体部４１１及び制限部４１２ａ，４１２ｂの形状や、第２の接続部６１の構成を第１の接続部の外形に合わせた枠部６１２の形状は、「第１の接続部４１及び第２の接続部６１の少なくとも何れかの形状は、第１の基板４１に接続された第２の基板６０が第１の基板４０の設置面上における面方向の動きを制限する形状」ということができる。また、変形例として、本体部４１１に形成された凹部４１１１の形状が、その凹部４１１１の周囲を本体部４１１の上面が囲むように形成されることで、凹部４１１１に挿入された端子６１１の左右の動きが制限されるようになっているだけでもよい。
【００４６】
なお、制限部４１２は、制限部４１２ａ及び制限部４１２ｂのように分割された形状ではなく、本体部４１１を囲繞するような形状でもよい。すなわち、互いに向き合ったコの字形状の制限部４１２ａと制限部４１２ｂとを連結させることによって、本体部４１１を囲繞させた一体の制限部４１２を形成してもよい。
【００４７】
図７（ａ），（ｂ）に示すような構造をなす第１の接続部４１及び第２の接続部６１を互いに嵌合させるによって、第２の基板６０は第１の基板４０の上面上に立設させることが可能である。本実施形態では、この設置態様に加えて、第１の基板４０上に立設される第２の基板６０（本実施形態では２枚）のを保持すると共に、第２の基板６０に乗ったノイズを第１の基板４０に逃がす導電性部材８０を表示制御基板ユニット１００の構成に加えた。
【００４８】
図６に示すように、第１の基板４０上における第１の接続部４１の外側（左右側）には１対のネジ孔４２ａが形成され、そのネジ孔４２ａに導通する第１の導通部４３が各ネジ孔４２ａの開口部周縁に露出して形成されている。第１の接続部４１のグランド端子（図示せず）は、ネジ孔４２ａ又は第１の導通部４３に導通している。すなわち、第１の接続部４１の前記グランド端子は、第１の導通部４３に直接的に導通しているか、又はネジ孔４２ａ若しくはネジ４２ａに螺合するネジＳを介して第１の導通部４３に間接的に導通している。なお、ネジＳは導電性を有するネジを使用する。
【００４９】
一方、第１の接続部４１に対して第２の接続部６１を対向させた第２の基板６０，６０の両側端部６０ａ、６０ａの近傍には、第２の接続部６１のグランド端子（図示せず）に導通する第２の導通部６２が形成されている。第２の基板６０，６０の両側端部（少なくとも第２の導通部６２を含む）を挟持した導電性部材８０には、第３の接続部８２にネジ孔８２１が形成されており、第２の基板６０、６０は、自身の第２の接続部６１が、第１の基板４０の第１の接続部４１に接続されることによって第１の基板４０に立設されるだけでなく、第２の基板６０の側端部を挟持すると共に第１の基板４０上に設置される導電性部材８０によっても固定されることとなる。
【００５０】
さらに、導電性部材８０のネジ孔８２１は、第１の基板４０に形成されたネジ孔４２ａと共にネジＳによって導電板５０のネジ孔５２に固定され、結果として、導電性部材８０は、第１の導通部４３に導通し、第１の基板４０の裏側に形成された第３の導通部４４と、導電板５０とが相互に面接続して導通されることとなる。このネジ孔５２は、導電板５０に第１の基板４０を載置するために形成された基板設置片５１に設けられたネジ孔である。なお、第１の基板４０には、ネジＳが第３の接続部８２のネジ孔８２１を貫挿せず、導電板５０に対して第１の基板４０を固定するためだけのネジ孔４２ｂも形成されることがあるが、第１の導通部４３がネジ孔４２ｂに対して導通する構成を採用してもよい。
【００５１】
なお、第１の基板４０の上面上における第２の基板６０及び導電性部材８０の設置スペースを小さくするために、第１の基板４０上のネジ孔４２ａの形成位置（第１の基板４０に対する第３の接続部８２の当接面の設置位置）は、第２の基板６０の両側端部６０ａより内方に設定されることが好ましい。従って、この第１の基板４０上のネジ孔４２ａの形成位置に合わせて、導電性部材８０の大きさなどを適宜変更してもよい。
【００５２】
ここで、導電性部材８０の構造について説明する。図８は、本実施形態における導電性部材の構造を示す図であり、図８（ａ）は１対の導電性部材を対向させた斜視図、図８（ｂ）は第２の基板の側端部に対して設置する際の上面図である。図８（ａ）に示すように、導電性部材８０は、導電性を有する金属製で、第２の基板６０の側端部６０ａを挟持する複数（本実施形態では２枚）の挟持部８１，８１と、各挟持部８１，８１を連結する第３の接続部８２とから構成される。具体的には、平板形状をなす第３の接続部８２の両端部にそれぞれ、第２の基板６０を挟持する挟持部８１が立設した形状をなし、第３の接続部８２には第１の基板４０上のネジ孔４２ａ（図６参照）と共にネジＳによって導電板５０に固着されるためのネジ孔８２１が形成されている。
【００５３】
また、図８（ｂ）に示すように、挟持部８１は、第２の基板６０の前面側に付勢する挟持片８１ａと第２の基板６０の後面側に付勢する挟持片８１ｂとが連結されてなり、挟持部８１の形状は、第２の基板６０に対向する側が開いた「コの字」形状をなし、挟持部８１に第２の基板６０を挟持させる際に挟持片８１ａ，８１ｂの間に第２の基板６０が進入しやすいように開角度をつけた誘導部８３が各挟持片８１ａ，８１ｂの先端部に形成されている。
【００５４】
ここで、通常の状態（挟持部８１が第２の基板６０を挟持していない状態）における挟持部８１の幅（挟持片８１ａと挟持片８１ｂとの距離）Ｔ２は、第２の基板６０の厚さ（表裏面に形成された第２の導通部の厚さも含む）Ｔ１よりも小さく設計されており、挟持片８１ａ，８１ｂの間に第２の基板６０が進入してきた際には、挟持部８１の幅Ｔ２が第２の基板６０の厚さ（表裏面に形成された第２の導通部の厚さも含む）Ｔ１に拡げられ、結果として挟持片８１ａ及び挟持片８１ｂがそれぞれ第２の基板６０前面及び後面を付勢することとなる。
【００５５】
次に、このような構成をなす表示制御基板ユニット１００の組み立て手順について図９（ａ）〜（ｃ）を参照して説明する。図９（ａ）に示すように、まず、対向させた２枚の第２の基板６０のそれぞれの側端部６０ａに対して、挟持部８１が挟持し、かつ第２の導通部６２に挟持部８１が接触するように、導電部材８０を設置する。
【００５６】
なお、このようにして導電性部材８０が両側端部６０ａに設置されたとき、第２の接続部６１，６１の間隔（より詳細には、端子６１１、６１１の間隔（図７（ａ）参照））は、第１の基板４０上に設けられた第１の接続部４１，４１の間隔（より詳細には、凹部４１１１，４１１１の間隔（図７（ａ）参照））とほぼ同じになるように第３の接続部８２の幅（挟持部８１，８１間の距離）が設定されている。
【００５７】
次に、図９（ｂ）に示すように、第１の接続部４１が２つ形成された第１の基板４０を、図柄表示装置２１の背面側に表示制御基板ユニット１００を設置するための導電板５０上に仮設する。具体的には、導電板５０に形成された基板設置片５１に、ネジ孔５２とネジ孔４２ａとが重なるように（ネジＳが貫挿するように）、第１の基板４０を載置する。
【００５８】
そして、導電性部材８０によって両側端部６０ａ，６０ａ同士が連結固定された２つの第２の基板６０，６０を把持し、各第２の基板６０の第２の接続部６１と、第１の基板４０上の各第１の接続部４１とを対向させて、第１の接続部４１に第２の接続部６１をそれぞれ嵌合させることによって、２枚の第２の基板６０は第１の基板４０に立設され、第１の基板４０と各第２の基板６０との電気的接続状態がなされる。このとき、各導電性部材８０の第３の接続部８２に形成されたネジ孔８２１が第１の基板４０上に形成されたネジ孔４２ａと共通の貫通孔を形成するように位置あわせをする。このとき、第１の基板４０上に、第３の接続部８２の位置あわせのための凹部８２２（図８（ｂ）参照）に係合する突起部などが形成されていると好ましい。
【００５９】
さらに、図９（ｃ）に示すように、第１の基板４０を載置するための基板設置片５１に形成されたネジ孔５２と、第１の基板４０に形成されたネジ孔４２ａ及び導電性部材８０の第３の接続部８２に形成されたネジ孔８２１とをネジＳによって導通・固定すると共に、第１の基板４０を載置するための基板設置片５１に形成されたネジ孔５２と、第１の基板４０に形成されたネジ孔４２ｂとをネジＳによって導通・固定する。
【００６０】
このようにして、第２の接続部６１のグランド端子に導通し、第２の基板６０の表裏面に露出して形成された第２の導通部６２は、ネジＳによって、導電性部材８０の挟持片８１及び第３の接続部８２、第１の接続部４１のグランド端子に導通する第１の導通部４３及び第３の導通部４４に相互に面接続されて導通することとなり、さらには基板設置片５１を経て導電板５０に導通することとなる。
【００６１】
以上、本発明に係る遊技機の一実施形態について説明したが、第１の基板４０の上面に立設される第２の基板６０は１枚でもよい。この場合では、上記実施形態に開示した導電性部材８０の形状のように、２対の挟持片８１，８１が第２の基板６０を挟むような形状ではなく、第３の接続部８２の前端部又は後端部に１対の挟持片８１，８１が形成された形状となる。
【００６２】
また、本実施形態の第１の基板４０及び第２の基板６０は、図柄表示部２１に設置される表示制御基板ユニット１００の構成要素として説明したが、これに限定されず、複数枚の基板から構成される制御基板であって、一の基板に対して他の基板を立設させるように構成された制御基板であれば、何れの制御基板ユニットにも転用することができる。例えば、遊技機の制御基板を、異なる種類の遊技動作に共通の共通基板と、その遊技動作に固有の固有制御基板とから構成し、これらを支持する支持基板に対して前記共有基板と前記固有制御基板とを起立状に設置し、異なる遊技機の機種ごとに前記固有制御基板のみを変更するニーズが生じる制御基板ユニットに転用することが可能である。
【００６３】
（他の実施形態）
次に、本発明に係る遊技機の他の実施形態について図面を参照して以下に説明する。なお、以下の説明において、上記実施形態と略同一の機能及び構成を有する構成要素については、同一符号を付し、重複説明は必要な場合にのみ行う。
【００６４】
図１０は、本発明に係る遊技機の他の実施形態における表示制御基板ユニットの設置態様を示す斜視図である。なお、本実施形態における表示制御基板ユニットの説明においても、上・下及び左・右とは、第１の基板４０に対して第２の基板６０が立設された方向を「上」方向、その反対方向を「下」方向とし、第１の基板４０上における第２の基板６０とコネクタ３１１２との設置位置（図４参照）において、第２の基板６０が設置された方向を「前」方向、コネクタ３１１２が設置された方向を「後」方向、前記「前」方向から見た状態において「左・右」方向と指称するものとする。
【００６５】
図１０に示すように、図柄表示装置２１の背面側に表示制御基板ユニット１００を設置するための導電板５０上には、上記実施形態と同様、当該導電板５０を介して図柄表示装置２１の背面に下面（下方の面）が対向するように第１の基板４０が設置されており、第１の基板４０の上面（上方の面）には、２枚の第２の基板６０が所定の間隔で立設されている。
【００６６】
そして、本実施形態では、第１の基板４０上に立設される第２の基板６０（本実施形態では２枚）を保持すると共に、第２の基板６０に乗ったノイズを第１の基板４０に逃がす導電性部材８０が第１の基板４０に設置されているのに加え、２枚の第２の基板６０を第１の基板４０に対して確実に固定するための基板押さえ部材７０が設置されている。
【００６７】
基板押さえ部材７０は、各第２の基板６０の上端部に対して付勢する上端押さえ部７１と、この上端押さえ部７１から第１の基板４０の上面方向に延設され、第１の基板４０の上面上に固定された支柱部７２とから構成される。
【００６８】
次に、表示制御基板ユニット１００の構成について説明する。図１１は、本実施形態における表示制御基板ユニットの構成を示す分解斜視図である。図１１に示すように、本実施形態の表示制御基板ユニット１００は、導電板５０上に設置された第１の基板４０に対して、２枚の第２の基板６０，６０が、第１の基板４０上に設けられた２つの第１の接続部４１に各第２の基板６０の下端部に設けられた第２の接続部６１が嵌合することで立設され、各第２の基板６０の側端部６０ａを挟持する２つの挟持部８１と、それらを連結し、第１の基板４０に形成されたネジ孔４２ａとネジＳの螺合孔を同一にするネジ孔８２１が形成された第３の接続部８２とから構成される導電性部材８０によって、２枚の第２の基板６０，６０はさらに確実に第１の基板４０に固定されると共に、導電性部材８０の介在によって第２の基板６０に乗ったノイズを第１の基板４０、導電板５０に逃がすことが可能となっている。本実施形態では、この設置態様に加えて、第２の基板６０の上端部６０ｃを第１の基板４０の上面に向かって付勢する基板押さえ部材７０を表示制御基板ユニット１００の構成に加えた。
【００６９】
基板押さえ部材７０は、第２の基板６０の上端部６０ｃに当接し、第１の基板４０の上面に向かって付勢するための平板形状をなす上端押さえ部７１と、この上端押さえ部７１の端部（図では左右端部）から第２の基板６０，６０の間で第１の基板４０の上面に向かって延設した形状をなす支柱部７２とからなる。ここで、上端押さえ部７１の下面（第１の基板４０の上面に対向する面）には、当接する第２の基板６０の上端部６０ｃを確実に付勢するために挟持する挟持片７３，７３が１枚の第２の基板６０の表裏面を挟むようにして設置されている。
【００７０】
また、支柱部７２は、その下端にネジ孔７４を設けた固定片７２１が上端押さえ部７１と平行となるように延設されている。したがって、上端押さえ部７１の両端の支柱部７２は、それぞれ、前面視で略Ｌ字形状に形成されている。そして、固定片７２１にはネジ孔７４が形成されている。このネジ孔７４は、第１の基板４０に形成されたネジ孔４２ａ及び導電性部材８０のネジ孔８２１とネジＳの螺合孔を同一にしている。このように、固定片７２１によって第３の接続部８２を面で押さえることができるので、第１の導通部４３と第３の接続部８２との確実な導通が図れる。
【００７１】
第１の基板４０に第２の基板６０，６０を立設し、これら第２の基板６０，６０を上端部６０ｃ，６０ｃにて上端押さえ部７１が付勢する基板押さえ部材７０を設置した際に、支柱部７２に形成されたネジ孔７４，７４に適応する第１の基板４０上にネジ孔４２ａが形成されている。
【００７２】
したがって、基板押さえ部材７０を第１の基板４０にネジ止めする際には、支柱部７２に形成されたネジ孔７４と第１の基板４０上のネジ孔４２とを導電性部材８０のネジ孔８２１を挟む態様でネジＳにより固定することで、第１の基板４０に立設された第２の基板６０の上端部６０ｃに上端押さえ部７１が当接し、第１の基板４０の上面部に向かって付勢することになる。
【００７３】
なお、第１の基板４０の上面上における第２の基板６０及び基板押さえ部材７０の設置スペースを小さくするために、第１の基板４０上のネジ孔４２の形成位置（第１の基板４０に対する支柱部７２の当設面の設置位置）は、第２の基板６０の両側端部６０ａより内方に設定されることが好ましい。従って、この第１の基板４０上のネジ孔４２の形成位置に合わせて、支柱部７２の形状や上端押さえ部７１の大きさなどを適宜変更してもよい。
【００７４】
また、上端押さえ部７１の左右端部からそれぞれ延設された支柱部７２の両端部におけるネジ孔７４、７４の近傍には、第１の基板４０に向けて突出する突起部７５を形成してもよい。この突起部７５の形成に伴い、当該突起部７５の形状に合わせた凹部（図示せず）を、突起部７５が第１の基板において当接する位置に形成することで、第１の基板４０に対する基板押さえ部材７０の位置決めを容易にすることができる。
【００７５】
また、第２の基板６０の両側端部６０ａには、第１の基板４０に対して第２の基板６０の脱着作業をする際に、作業者が把持するための切り欠き部６３が形成されている。このような切り欠き部６３が形成されることで、作業者は切り欠き部６３に指を引っかけた状態で第２の基板６０を把持して当該基板の脱着作業を容易に行うことができ、第２の基板６０に搭載されるＲＯＭをはじめとする電子部品が実装された面に触れて作業することなく、それによって引き起こされる遊技機の誤動作を未然に防ぐことができる。
【００７６】
ここで、基板押さえ部材７０の構造について説明する。図１２は、本実施形態における基板押さえ部材の構造を示す図であり、図１２（ａ）は前面図、図１２（ｂ）は下面図である。図１２（ａ）に示すように、基板押さえ部材７０は、透明樹脂製で、平板形状の上端押さえ部７１と、その両端部に角度（本実施形態では略９０°）をつけて互いに対向するように接続された平板形状の支柱部７２，７２からなり、全体として略「コ」の字形状をなしている。なお、基板押さえ部材７０を透明樹脂で作製しない場合でも、第２の基板６０に実装された電子部品（ＲＯＭ）を上方から視認可能な開口窓（図示せず）を上端押さえ部７１に形成してもよい。
【００７７】
図１２（ｂ）に示すように、上端押さえ部７１の下面（図１２（ａ）においては支柱部７２，７２が接続された方向の面）には、第２の基板６０の上端部６０ｃを挟持する挟持片７３が対をなして設置されている。なお、挟持片７３の設置位置は、支柱部７２よりも外方向、すなわち、挟持片７３，７３によって挟持される第２の基板６０，６０の間に支柱部７２が位置するように設定されることが好ましい。
【００７８】
このように、第２の基板６０，６０間に支柱部７２が位置するように挟持片７３の位置を設定することにより、複数の第２の基板６０が近接することがない。よって、複数の第２の基板６０，６０間には、それらに実装されたＲＯＭ（図示せず）をはじめとする電子部品から発せられる熱を放出するための放熱スペースの確保を図ることができ、遊技機の誤動作を未然に防ぐことができる。
【００７９】
次に、このような構成をなす表示制御基板ユニット１００の組み立て手順について図１３（ａ）〜（ｃ）を参照して説明する。図１３（ａ）に示すように、まず、対向させた２枚の第２の基板６０のそれぞれの側端部６０ａに対して、挟持部８１が挟持し、かつ第２の導通部６２に挟持部８１が接触するように、導電部材８０を設置する。
【００８０】
次に、図１３（ｂ）に示すように、第１の接続部４１が２つ形成された第１の基板４０を、図柄表示装置２１の背面側に表示制御基板ユニット１００を設置するための導電板５０上に仮設する。具体的には、導電板５０に形成された基板設置片５１に、ネジ孔５２とネジ孔４２ａとが重なるように（ネジＳが貫挿するように）、第１の基板４０を載置する。
【００８１】
そして、導電性部材８０によって両側端部６０ａ，６０ａ同士が連結固定された２つの第２の基板６０，６０を把持し、各第２の基板６０の第２の接続部６１と、第１の基板４０上の各第１の接続部４１とを対向させて、第１の接続部４１に第２の接続部６１をそれぞれ嵌合させることによって、２枚の第２の基板６０は第１の基板４０に立設され、第１の基板４０と各第２の基板６０との電気的接続状態がなされる。このとき、各導電性部材８０の第３の接続部８２に形成されたネジ孔８２１が第１の基板４０上に形成されたネジ孔４２ａと共通の貫通孔を形成するように位置あわせをする。このとき、第１の基板４０上に、第３の接続部８２の位置あわせのための凹部８２２（図８（ｂ）参照）に係合する突起部などが形成されていると好ましく、前述した突起部７５を共用できればさらに望ましい。
【００８２】
次に、第１の基板４０と、導電性部材８０を用いて第１の基板４０上に立設された２枚の第２の基板６０とを挟んで固定する基板押さえ部材７０を設置するにあたって、基板押さえ部材７０に形成された１対の挟持片７３に第２の基板６０の上端部６０ｃの少なくとも一部が挟持されるように、かつ、支柱部７２に形成されたネジ孔７４（図６参照）と、ネジ孔８２１と、第１の基板４０上のネジ孔４２ａとが合うように位置あわせをする。
【００８３】
このとき、基板押さえ部材７０に突起部７５が形成されていれば、突出部７５と前記凹部（図示せず）と第３の接続部５２に形成された凹部８２２（図８（ｂ）参照）を嵌合させることで、支柱部７２に形成されたネジ孔７４と、第３の接続部８２のネジ孔８２１と、第１の基板４０上のネジ孔４２ａとの位置決めが容易となる。
【００８４】
さらに、図１３（ｃ）に示すように、第１の基板４０を載置するための基板設置片５１に形成されたネジ孔５２と、第１の基板４０に形成されたネジ孔４２ａ及び導電性部材８０の第３の接続部８２に形成されたネジ孔８２１と、支柱部７２に形成されたネジ孔７４（図６参照）とをネジＳによって導通・固定すると共に、第１の基板４０を載置するための基板設置片５１に形成されたネジ孔５２と、第１の基板４０に形成されたネジ孔４２ｂとをネジＳによって導通・固定する。
【００８５】
このようにして、第２の接続部６１のグランド端子に導通し、第２の基板６０の表裏面に露出して形成された第２の導通部６２は、ネジＳを介して、第１の接続部４１のグランド端子に導通する第１の導通部４３及び第３の導通部４４や、導電板５０に導通することとなると共に、第２の基板６０を挟んで、第１の基板４０と基板押さえ部材７０とが固着される。
【００８６】
以上、本発明に係る遊技機の他の実施形態について説明したが、本実施形態の基板押さえ部材７０の構造は、第２の基板６０がその表裏面方向に複数設置され、それら第２の基板６０に挟まれるように支柱部７２を形成する構造に限定されず、例えば、上端押さえ部７１から第２の基板６０の設置方向に支柱部７２を延設してもよい。すなわち、上記実施形態では上端押さえ部７１の左右端部から延設された支柱部７２を、上端押さえ部７１の前後端部から延設する形態となる。
【００８７】
また、本実施形態の支柱部７２の構造は、前後方向に複数設置された第２の基板６０，６０に挟まれるように形成されるが、上端押さえ部７１の左右端部から延設される、いわゆるブリッジ様構造に限定されず、上端押さえ部７１の下面の略中央部から第１の基板４０の上面に対して延設される、いわゆる前面視「Ｔ」字型をなしてもよい。
【００８８】
また、第１の基板４０の上面に立設される第２の基板６０は１枚でもよい。この場合では、上記実施形態に開示した基板押さえ部材７０の形状のように、２対の挟持片７３，７３が支柱部７２を挟むような形状ではなく、上端押さえ部７１の前端部又は後端部に１対の挟持片７３，７３が形成された形状となる。
【００８９】
また、本実施形態においても、第１の基板４０及び第２の基板６０は、図柄表示部２１に設置される表示制御基板ユニット１００の構成要素として説明したが、これに限定されず、複数枚の基板から構成される制御基板であって、一の基板に対して他の基板を立設させるように構成された制御基板であれば、何れの制御基板ユニットにも転用することができる。例えば、遊技機の制御基板を、異なる種類の遊技動作に共通の共通基板と、その遊技動作に固有の固有制御基板とから構成し、これらを支持する支持基板に対して前記共有基板と前記固有制御基板とを起立状に設置し、異なる遊技機の機種ごとに前記固有制御基板のみを変更するニーズが生じる制御基板ユニットに転用することが可能である。
【００９０】
次に、上記実施形態から把握できる技術的思想について以下に追記する。
【００９１】
（イ）  前記第２の基板における前記第２の接続部の反対側の他方の端部である上端部を前記第１の基板に向けて付勢する上端押さえ部と、前記第１の基板に対して前記第２の基板を実装する方向と直交する方向の端部である側端部を露出させて前記上端押さえ部から前記第１の基板に向けて延設された支柱部とを備えた基板押さえ部材が前記第３の接続部を挟んで前記第１の基板に設置されることによって、前記上端押さえ部と前記第１の基板により前記第２の基板及び前記導通部材が挟持されることを特徴とする請求項２に記載の遊技機。
（ロ）  前記第２の基板がその表裏面方向に複数設置され、前記導電部材は、前記第２の基板の各々に対して挟持する挟持部が前記表裏面方向に第３の接続部によって連結されたことを特徴とする請求項２に記載の遊技機。
（ニ）  前記第２の基板がその表裏面方向に複数設置され、複数の前記第２の基板間に位置した前記支持部が、前記第３の接続部を挟んで前記第１の基板に設置されたことを特徴とする上記（イ）に記載の遊技機。
（ホ）  前記第１の基板に対する前記支柱部の設置位置が、前記第２の基板の両側端部より内方に設定され、前記第３の接続部を挟んで前記支持部が前記第１の基板に設置されたことを特徴とする上記（イ）に記載の遊技機。
【図面の簡単な説明】
【００９２】
【図１】本発明に係る遊技機の一実施形態における構成を示す正面図。
【図２】本発明に係る遊技機の一実施形態における構成を示す背面図。
【図３】本発明に係る遊技機の一実施形態における構成を示す背面図。
【図４】本発明に係る遊技機の一実施形態における表示ユニットの構成を示す図。
【図５】本発明に係る遊技機の一実施形態における表示ユニットの内部構成を示す斜視図。
【図６】本発明に係る遊技機の一実施形態における基板の設置状態を示す分解斜視図。
【図７】本発明に係る遊技機の一実施形態における第１の接続部及び第２の接続部の構造を示す斜視図。
【図８】本発明に係る遊技機の一実施形態における導電性部材の構成を示す図。
【図９】本発明に係る遊技機の一実施形態において表示制御基板ユニットの組み立て手順を示す斜視図。
【図１０】本発明に係る遊技機の他の実施形態における表示ユニットの内部構成を示す斜視図。
【図１１】本発明に係る遊技機の他の実施形態における基板の設置状態を示す分解斜視図。
【図１２】本発明に係る遊技機の他の実施形態における基板押さえ部材の構成を示す図。
【図１３】本発明に係る遊技機の他の実施形態において表示制御基板ユニットの組み立て手順を示す斜視図。
【符号の説明】
【００９３】
１０  遊技機
１１  外枠
１２  中枠
１３  遊技盤
１４  前枠
１５  上球皿
１６  下球皿
１７  打球発射装置
２１  図柄表示装置
２２  始動入賞装置（始動入賞口）
２３  可変入賞装置（大入賞口）
２４  アウト口
３１ａ  リアパック（上）
３１ｂ  リアパック（下）
３１１  表示ユニット
３１１０  保護ケース
３１１２  コネクタ
３２  メイン基板ユニット
４０  第１の基板
４１  第１の接続部
４１１  本体部
４１１１  凹部
４１１２  端子
４１２  制限部
４１２ａ  制限部
４１２ｂ  制限部
４２ａ  ネジ孔
４２ｂ  ネジ孔
４３  第１の導通部
４４  第３の導通部
５０  導電板
５１  基板設置片
６０  第２の基板
６１  第２の接続部
６１１  端子
６１２  枠部
６２  第２の導通部
６３  切り欠き部
７０  基板押さえ部材
７１  上端押さえ部
７２  支柱部
７２１  固定片
７３  挟持片
７４  ネジ孔
７５  突起部
８０  導電性部材
８１  挟持部
８１ａ  挟持片
８１ｂ  挟持片
８２  第３の接続部
８２１  ネジ孔
８２２  凹部
１００  表示制御基板ユニット
【図１】
0004641482.tif 000002
【図２】
0004641482.tif 000003
【図３】
0004641482.tif 000004
【図４】
0004641482.tif 000005
【図５】
0004641482.tif 000006
【図６】
0004641482.tif 000007
【図７】
0004641482.tif 000008
【図８】
0004641482.tif 000009
【図９】
0004641482.tif 000010
【図１０】
0004641482.tif 000011
【図１１】
0004641482.tif 000012
【図１２】
0004641482.tif 000013
【図１３】
0004641482.tif 000014